(57)【要約】【課題】暗い部屋で表示手段の光が気になる問題を解決するとともに、部屋を暗くして横たわった直後の状態においても操作可能とする、温熱電位治療器の具現化を課題とする。【解決手段】操作手段を照明する発光手段と、制御手段からの制御で発光手段のＯＮ／ＯＦＦ駆動及び減光駆動する駆動手段と、治療開始から所定時間まで計時する減光タイマーとを用い、治療動作を開始するとともに減光タイマーの計時を開始する処理と、減光タイマーの計時が所定時間に達しと時に駆動手段を制御し発光手段を減光させ処理を制御手段が行うことで課題を解決する。【選択図】図１
2012034808.tif 000002
【特許請求の範囲】
【請求項１】
治療動作を開始させるスタートスイッチと、
少なくとも前記スタートスイッチを含む操作手段と、
前記操作手段を照明する発光手段と、
動作状態や設定状態などを表示する発光式表示手段と、
制御手段からの制御により前記発光手段及び前記発光式表示手段のＯＮ／ＯＦＦ駆動及び減光駆動する駆動手段と、
治療時間を決める動作タイマー手段と、
前記スタートスイッチが押されてから所定時間まで計時する減光タイマー手段と、
前記動作タイマー手段及び前記減光タイマー手段を有する前記制御手段とからなり、
前記制御手段は、
電源が入れられると前記駆動手段を制御して前記発光手段及び前記発光式表示手段をＯＮさせる第１のステップと、
前記スタートスイッチが押されると治療動作を開始するとともに前記動作タイマー手段及び前記減光タイマー手段の計時を開始する第２のステップと、
前記減光タイマー手段の計時が所定時間に達した時に前記駆動手段を制御し前記発光手段及び前記発光式表示手段を減光させる第３のステップと、
前記動作タイマー手段の計時が治療終了時間に達した時に治療を終了するとともに前記駆動手段を制御して前記発光手段及び前記発光式表示手段を消灯させる終了ステップの制御を行う事を特徴とす温熱電位治療器。
【請求項２】
治療動作を開始させるスタートスイッチと、
前記スタートスイッチと操作に係る複数のスイッチからなる操作手段と、
前記操作手段を照明する第１の発光手段及び第２の発光手段と、
前記第１の発光手段と前記第２の発光手段からなる発光手段と、
動作状態や設定状態などを表示する発光式表示手段と、
制御手段からの制御により前記発光手段及び前記発光式表示手段のＯＮ／ＯＦＦ駆動及び減光駆動する駆動手段と、
治療時間を決める動作タイマー手段と、
前記スタートスイッチが押されてから第１の所定時間まで計時するとともに前記第１の所定時間から第２の所定時間まで計時する減光タイマー手段と、
前記動作タイマー手段と前記減光タイマー手段を有する前記制御手段とからなり、
前記制御手段は、
電源が入れられると前記駆動手段を制御して前記発光手段と前記発光式表示手段をＯＮさせる第１のステップと、
前記スタートスイッチが押されると治療動作を開始するとともに前記動作タイマー手段及び前記減光タイマー手段の計時を開始する第２のステップと、
前記減光タイマー手段の計時が前記第１の所定時間に達した時に前記駆動手段を制御し前記発光手段と前記発光式表示手段を減光させる第３のステップと、
前記減光タイマー手段の計時が前記第２の所定時間に達した時に前記駆動手段を制御し前記第２の発光手段を消灯させる第４のステップの制御を行う事を特徴とす温熱電位治療器。
【請求項３】
前記発光手段と前記発光式表示手段を減光後に、前記操作手段が操作された場合において、
前記制御手段は、前記駆動手段を制御して前記発光手段と前記発光式表示手段をＯＮさせることを特徴とする請求項１又は請求項２記載の温熱電位治療器。
【発明の詳細な説明】
【技術分野】
【０００１】
本発明は、温熱電位治療器に関するものである。
【背景技術】
【０００２】
温熱電位治療器は、温熱電位治療器本体と、マット状（布団状）の電床から構成されるのが一般的であり、温熱電位治療器本体（特許文献１のコントローラー８に相当）及び電床（特許文献１の敷布団に相当）の基本的な技術は特許文献１において開示されている。
【０００３】
使用方法は、使用者がマット状電床の上に横になり使用される場合が多い。
昨今では、治療効果を上げるために、部屋を薄暗くしてリラックスした状態で用いることもよくある。
【０００４】
特許文献２は上述した、部屋を薄暗くしてリラックスした状態で用いるのに好適な技術が開示されている。
即ち、リモートコントロール装置５ａに発光体５４ａを具備させると共に、マット本体１ａの人体平均手長範囲の外周側面部１２ａに発光体５４ａを発光させる発光体作動スイッチ８ａを設け、発光体作動スイッチ８ａに対する使用者の手の接触によりこれを作動させて発光体５４ａが発光するように構成することにより、暗いなかでもリモートコントロール装置５ａの操作が可能となる。
【特許文献１】特開２００８−３４４号公報
【特許文献２】特開２００８−３６０９３号公報
【発明の開示】
【発明が解決しようとする課題】
【０００５】
ところで、特許文献２のように、何かしらの操作により発光させる方式の物に対して、煩わしいとの苦情が寄せられる場合があった。
理由を調査したところ、治療中の再操作が行われる時期は、殆どが治療開始直後であり、ちょっと前にした設定を変更するだけなのに、治療に直接かかわりの無い操作（発光させる操作）を強いられることへの不満であった。
【０００６】
そこで本発明では、部屋を暗くして横たわった、即ち治療開始直後の状態において、煩わしい補助的操作を要せず、治療に直接係る操作可能とする、温熱電位治療器の具現化を課題とする。
【課題を解決するための手段】
【０００７】
温熱電位治療器本体を、
治療動作を開始させるスタートスイッチを少なくとも含む操作手段と、
前記操作手段を照明する発光手段と、
動作状態や設定状態などを表示する発光式表示手段と、
制御手段からの制御により前記発光手段及び前記発光式表示手段のＯＮ／ＯＦＦ駆動及び減光駆動する駆動手段と、
治療時間を決める動作タイマー手段と、
前記スタートスイッチが押されてから所定時間まで計時する減光タイマー手段と、
前記動作タイマー手段及び前記減光タイマー手段を有する前記制御手段で構成する。
【０００８】
さらに、
電源が入れられると前記駆動手段を制御して前記発光手段及び前記発光式表示手段をＯＮさせる第１のステップと、
前記スタートスイッチが押されると治療動作を開始するとともに前記動作タイマー手段及び前記減光タイマー手段の計時を開始する第２のステップと、
前記減光タイマー手段の計時が所定時間に達した時に前記駆動手段を制御し前記発光手段及び前記発光式表示手段を減光させる第３のステップと、
前記動作タイマー手段の計時が治療終了時間に達した時に治療を終了するとともに前記駆動手段を制御して前記発光手段及び前記発光式表示手段を消灯させる第４のステップからなる制御を、前記制御手段が行うことで課題を解決する。
請求項２記載の発明では、既第３のステップ後、使用頻度の低いスイッチを照明する発光手段を消灯する。
請求項３記載の発明では、既第３のステップ後、操作手段が操作された場合に、発光手段と発光式表示手段を点灯させる。
【発明の効果】
【０００９】
治療開始から所定時間経過後に発光手段及び発光式表示手段を減光させるので、光が気になることも無く、且つ横になってから所定時間の間は操作に必要な十分な照明が得られる。
また、請求項２記載の発明では、不要な点灯をしないので、省電力の効果が有る。
さらに、請求項３記載の発明では、減光後の操作を必要とする事態に対応が可能となる。
【発明を実施するための最良の形態】
【００１０】
本発明の実施例を図を用いて説明する。
図１は本発明による温熱電位治療器本体の外観である。
なお、電床は省いてある。
発光式表示手段は、温度、電位電圧、タイマー時間などの表示に用いる。
発光ダイオード７個を８字上に配置した、ＬＥＤアレイなどで構成する。
【００１１】
治療は、操作手段のスタートスイッチを押すことで開始される。
スイッチの釦部、或いはスイッチの周囲に発光手段を配すことで照明される。
スタートスイッチは制御手段に接続され、制御手段に治療の開始を知らせる。
【００１２】
操作手段のアップダウンスイッチは電位電圧や温度の設定に用いる。
アップダウンスイッチのツマミの周囲に発光手段を配すことで照明される。
アップダウンスイッチは制御手段に接続され、制御手段にアップ又はダウンを知らせる。
【００１３】
図２は本発明のブロック図である。
駆動手段は、制御手段からの指示により、発光式表示手段及び発光手段を駆動する。
駆動方法は点灯、減光点灯、消灯がある。
【００１４】
温熱信号出力手段は、電床内のヒーターに電力を供給する。
制御手段の制御により、ヒーターに供給する電力をコントロールする。
【００１５】
電位信号出力手段は、電床内の電極に電位信号を印加する。
制御手段の制御により、電極に印加する電位信号の電圧や波形をコントロールする。
【００１６】
電源は、商用電源（交流１００V）より電力を得、各動作に必要な電圧に変換後、各部に電力を供給する。
【００１７】
制御手段は、操作手段の操作に対応し、各部を制御する。
例えば、スタートスイッチが押されると、電位信号出力手段を制御して、電位信号を出力させる。  また、アップダウンスイッチのアップが押された場合には、電位信号出力手段を制御して、電位信号の出力を増加させるなどである。
【００１８】
次に、実際に温熱電位治療器を使用する状況を想定して、制御手段の動作を図３を用いて説明する。
【００１９】
使用者は、本発明による温熱電位治療器を準備し、電源を入れる。
次に使用者、部屋を暗くして電床の上に横たわる。
【００２０】
制御手段は、駆動手段を制御して発光手段及び発光式表示手段を点灯させ、スタートスイッチの操作を監視する。
以上が第１のステップまでの動作である。
【００２１】
次に使用者は、手を伸ばしスタートスイッチを押し、治療を開始させる。
【００２２】
制御手段は、スタートスイッチが押されたことを検知し、電位信号出力手段を制御して電位信号を出力ささるとともに、温熱信号出力手段を制御して、温熱信号を出力させる。  さらには、動作タイマー手段及び減光タイマー手段の計時を開始する。
【００２３】
制御手段は、減光タイマー手段の計時が所定時間（例えば１０秒）に達するか監視する。
【００２４】
治療を開始してから例えば１０秒間は、操作手段が明るく照らされているので、使用者の再操作が可能である。
以上が第２のステップまでの動作である。
【００２５】
制御手段は、減光タイマー手段の計時が所定時間（例えば１０秒）に達すると、駆動手段を制御し発光手段及び発光式表示手段を、使用者が気にならないくらいの照度に減光させる。
以上が第３のステップまでの動作である。
【００２６】
制御手段は、
動作タイマー手段の計時が治療終了時間（例えば８時間）に達した時に、駆動手段を制御して発光手段及び発光式表示手段を消灯させるとともに、電位信号出力手段を制御して電位信号を停止させるとともに、温熱信号出力手段を制御して温熱信号を停止させ、治療が終了する。  
【００２７】
第２の実施例によれば、
発光手段は第１の発光手段と第２の発光手段からなる。
第１の発光手段は比較的使用頻度高いスイッチを照明するものとする。
【００２８】
既述の第３のステップ後、
制御手段は、第２の減光タイマー手段の計時が第２の所定時間（例えば６０秒）に達するか監視する。
【００２９】
制御手段は、減光から例えば６０秒後に、駆動手段を制御して使用頻度低いスイッチを照光する第２の発光手段を消灯する。
以上が第２の実施例による第４のステップまでの動作である。
【００３０】
実施例３では、減光後、制御手段は操作手段の操作を監視し、操作がなされた場合に、駆動手段を制御して、第１の発光手段、第２発光手段又は発光手段と発光式表示手段を点灯させる処理を行う。
【図面の簡単な説明】
【００３１】
【図１】本発明による温熱電位治療器の外観図
【図２】本発明による温熱電位治療器のブロック図
【図３】本発明による温熱電位治療器の動作フローチャート
【図１】
2012034808.tif 000003
【図２】
2012034808.tif 000004
【図３】
2012034808.tif 000005